(57)【特許請求の範囲】
【請求項１】
水田の耕作区に連通する耕作区給排水口を備えた有底筒状の給排水枡の底部近傍に、農道に沿って設けられた通水パイプに給排水弁を介して接続した用水給排水部を設け、該用水給排水部に、給排水枡の底部近傍で開口可能な排水弁を設けるとともに、給排水枡の上部に開口する高さ調節可能な水位調節堰を設けたことを特徴とする水田の水位調節装置。
【請求項２】
前記耕作区給排水口は、高さ調節可能な越流ゲートを介して前記耕作区に連通していることを特徴とする請求項１記載の水田の水位調節装置。
【請求項３】
前記水位調節堰は、前記用水給排水部に接続されて上向きに開口したパイプの上端部に上下動可能に嵌装された筒体により形成されていることを特徴とする請求項１記載の水田の水位調節装置。
【請求項４】
側縁に農道が設けられるとともに畦畔によって複数の耕作区に区分された水田の用水管理システムであって、農道に沿って給水パイプと排水パイプとが埋設されるとともに、各耕作区には、前記給水パイプと排水パイプとにそれぞれ接続される少なくとも２個の水位調節装置が設置され、該水位調節装置は、有底筒状の給排水枡に、前記耕作区に連通する耕作区給排水口と、前記給水パイプ又は排水パイプに接続する用水給排水部とを備え、該用水給排水部は、給排水枡の上部に開口する高さ調節可能な水位調節堰と給排水枡の底部近傍で開口可能な排水弁とを備えるとともに、前記給水パイプには給排水弁を介して接続しており、給水パイプ側に設置した水位調節装置の給排水弁を開くことにより給水パイプから用水給排水部を通り、所定高さに設定された水位調節堰を越えて給排水枡に流入した用水が耕作区給排水口から耕作区へ給水され、該耕作区に供給された余剰の用水や雨水が排水パイプ側に設置した水位調節装置の耕作区給排水口から給排水枡に流入し、田面水位に高さ調節された水位調節堰を越えて用水給排水部から排水パイプに排出され、前記排水弁を開くことにより、給排水枡内の用水及び給排水枡内に流入した土砂が排出されるように構成したことを特徴とする水田の用水管理システム。
【発明の詳細な説明】
【０００１】
【発明の属する技術分野】
本発明は、水田の水位調節装置及び用水管理システムに関し、詳しくは、水田における各耕作区の田面水位を所望の高さに容易に調節することができる水位調節装置に関するとともに、水田に対する灌漑用水の供給及び排出を自動的に管理できる水田の用水管理システムであって、更に詳しくは、必要最小限の用水を各耕作区に供給することによって、水田全体にわたって満遍なく用水を供給できるとともに、各耕作区の水位を一定に維持することができる水田の用水管理システムに関する。
【０００２】
【従来の技術】
図９は、従来の水田構造を示す概略平面図であって、河川１を流れる水は、水路２から上流側の幹線給水路３に導かれて水田４に供給されるようになっている。水田４は、畦畔４１によって複数の耕作区４２に区分されており、長手方向に延びる農道４０の側縁には、それぞれの耕作区４２に沿って開放型の給水路３１が設けられている。この給水路３１の上流側は、前記幹線給水路３と接続しており、各耕作区４２に面した給水路３１の側壁には、給水口３２が設けられている。図１０に斜視図で示すように、給水路３１を流れる用水は、各給水口３２から各耕作区４２に供給されるようになっている。
【０００３】
また、前記給水路３１の反対側に位置する水田４，４の間には、開放型の排水路３３が設けられている。各耕作区４２に面した排水路３３の排水口には、水位設定器３４が設けられており、この水位設定器３４の高さを調整することにより、それぞれの耕作区４２の田面水位を一定の高さに維持できるように形成されている。排水路３３の下流側は、幹線排水路３５と接続しており、この排水路３５に放出された余剰の用水や雨水は、水路３６から河川に還流されるようになっている。
【０００４】
【発明が解決しようとする課題】
この水田の場合には、給水路３１を流れる用水は、給水路３１の上流側に位置する給水口３２から各耕作区４２に流入する。そして、耕作区４２に供給された用水は、水位設定器３４によって一定の水位に維持されるとともに、余剰の用水が排水路３３に排出される。このようにして、上流側から下流側の耕作区４２に向かって用水が順次供給されていくため、下流側の耕作区４２ほど用水の供給が不足がちとなる。特に、日照りが続く旱魃期には、下流側の耕作区４２にほとんど用水が供給されなくなり、稲の成育不良によって収穫量が減少するということがあった。
【０００５】
また、各水路が開放型で形成されている従来の水田では、給水路３１や排水路３３の占有幅だけ耕作区４２や農道４０のスペースが狭くなるため、農地を有効利用できないという問題もあった。さらには、上方が開放した各水路には、土砂等が落下して堆積し易いため、土砂等の排出作業を頻繁に行わなければならず、水路管理が煩わしいという問題もあった。
【０００６】
一方、農村の都市化に伴って農家の兼業化が進行するとともに、就業時間の短縮及び制限から農作業等の自動化及び省力化の要請が強まっており、水田の給水管理や施肥管理等の省力化が望まれている。
【０００７】
そこで本発明は、水田全体にわたって安定した状態で用水を供給でき、田面水位を自動的に一定に維持できるとともに、施工性に優れ、しかも安価に提供することができる水田の水位調節装置及び用水管理システムを提供することを目的としている。
【０００８】
【課題を解決するための手段】
上記目的を達成するため、本発明の水田の水位調節装置は、水田の耕作区に連通する耕作区給排水口を備えた有底筒状の給排水枡の底部近傍に、農道に沿って設けられた通水パイプに給排水弁を介して接続した用水給排水部を設け、該用水給排水部に、給排水枡の底部近傍で開口可能な排水弁を設けるとともに、給排水枡の上部に開口する高さ調節可能な水位調節堰を設けたことを特徴としている。
【０００９】
さらに、本発明の水位調節装置は、前記耕作区給排水口が、高さ調節可能な越流ゲートを介して前記耕作区に連通していること、前記水位調節堰が、前記用水給排水部に接続されて上向きに開口したパイプの上端部に上下動可能に嵌装された筒体により形成されていることを特徴としている。
【００１０】
また、本発明の水田の用水管理システムは、側縁に農道が設けられるとともに畦畔によって複数の耕作区に区分された水田の用水管理システムであって、農道に沿って給水パイプと排水パイプとが埋設されるとともに、各耕作区には、前記給水パイプと排水パイプとにそれぞれ接続される少なくとも２個の水位調節装置が設置され、該水位調節装置は、有底筒状の給排水枡に、前記耕作区に連通する耕作区給排水口と、前記給水パイプ又は排水パイプに接続する用水給排水部とを備え、該用水給排水部は、給排水枡の上部に開口する高さ調節可能な水位調節堰と給排水枡の底部近傍で開口可能な排水弁とを備えるとともに、前記給水パイプには給排水弁を介して接続しており、給水パイプ側に設置した水位調節装置の給排水弁を開くことにより給水パイプから用水給排水部を通り、所定高さに設定された水位調節堰を越えて給排水枡に流入した用水が耕作区給排水口から耕作区へ給水され、該耕作区に供給された余剰の用水や雨水が排水パイプ側に設置した水位調節装置の耕作区給排水口から給排水枡に流入し、田面水位に高さ調節された水位調節堰を越えて用水給排水部から排水パイプに排出され、前記排水弁を開くことにより、給排水枡内の用水及び給排水枡内に流入した土砂が排出されるように構成したことを特徴としている。
【００１１】
【発明の実施の形態】
図１は、本発明の水位調節装置を使用した用水管理システムの一例を示す概略平面図である。水田４の内部は、短手方向に延びる畦畔４１によって複数の耕作区４２に区分されている。各耕作区４２は、例えば、長辺が１００〜２００ｍ、短辺が３０〜１００ｍ程度の長方形状に区分され、全体的に見れば緩やかに傾斜しているにしても、略平坦に整地されている。
【００１２】
また、水田４の側縁には、その長手方向に沿って農道４３が設けられている。この農道４３の上面は、その中央部が従来の農道と略同じ幅寸法の平坦面に形成されており、この平坦面の片側又は両側に、水田４側に向かって下り勾配となった傾斜面が形成されている。この傾斜面は、従来農道に沿って設けられていた用水路や排水路を撤去して埋め戻しを行った部分である。このため、農道４３は、従来の農道よりもかなり広幅になっており、トラクター等を旋回させて方向転換したり、農道４３の片方を駐車スペースとして利用できるようになっている。
【００１３】
各農道４３には、その傾斜面の下方に、用水を通すための通水パイプである給水パイプ５１と排水パイプ５２とが埋設されている。前記給水パイプ５１及び排水パイプ５２は、上流側が弁５１ａ，５２ａを介して用水ライン３７に接続しており、下流側が弁５１ｂ，５２ｂを介して排水ライン３８に接続している。この用水ライン３７及び排水ライン３８は、状況に応じて開放型の水路で形成してもよく、パイプラインで形成することもできる。なお、図示は省略するが、用水ライン３７には、河川から水を引き込むための水路が接続しており、排水ライン３８には、放出された用水や雨水を河川に還流させるための水路が接続している。
【００１４】
また、各耕作区４２の側縁には、各耕作区４２に耕作区給排水口６１を介して連通した水位調節装置６がそれぞれ２個１組で設置されており、一方の用水供給側となる水位調節装置６は、給排水弁６２を介して前記給水パイプ５１に接続され、他方の用水排水側となる水位調節装置６は、前記排水パイプ５２に接続されている。
【００１５】
図２は、一耕作区４２の用水管理に用いられる水位調節装置６の一例を示す配管概略図である。この水位調節装置６は、前記給排水弁６２を内蔵した形式の水位調節装置であって、有底筒状の給排水枡６０には、耕作区４２に連通する前記耕作区給排水口６１と、給水パイプ５１（あるいは排水パイプ５２）に接続する用水給排水部６３とが設けられるとともに、該用水給排水部６３には、前記給排水弁６２と、給排水枡６０の底部近傍で開口可能な排水弁６４と、給排水枡６０の上部に開口する高さ調節可能な水位調節堰６５とが設けられている。
【００１６】
図３及び図４は、水位調節装置６の具体的な形状例を示すもので、図３は縦断面図、図４は平面図である。また、図５は前記給排水弁６２及び排水弁６４として用いたスライド弁の斜視図である。
【００１７】
この水位調節装置６は、給排水枡６０内に各種給排水手段を設けたものである。給排水手段としては、前述のように、耕作区４２に連通する前記耕作区給排水口６１と、給水パイプ５１（あるいは排水パイプ５２）に接続する用水給排水部６３と、該用水給排水部６３に設けられた給排水弁６２と、給排水枡６０の底部近傍で開口可能な排水弁６４及び給排水枡６０の上部に開口する高さ調節可能な水位調節堰６５とが設けられている。また、前記耕作区給排水口６１には、高さ調節可能で、かつ、着脱可能な越流ゲート６６が設けられている。
【００１８】
前記水位調節堰６５は、用水給排水部６３の給排水弁６２と排水弁６４との間の水平方向のパイプ６３Ｐから垂直方向に立上がったパイプ６５Ｐの上端の上向きの開口に、水密性と摺動抵抗を得るためのゴム製のシールパッキンを介して上下動可能に嵌装された筒体６５Ｔにより形成されている。この筒体６５Ｔには、該筒体６５Ｔを上下動させるための操作ロッド６５Ｈが給排水枡６０の上方に延びるように設けられている。なお、この筒体６５Ｔの上縁をラッパ状に拡開しておくことにより、用水の排出を効率よく行うことができる。
【００１９】
図５に示すように、前記給排水弁６２及び排水弁６４として用いられているスライド弁７０は、用水給排水部６３のパイプ６３Ｐに対応した貫通口７１を有する２枚の板状部材７２，７３の間に、板状の弁体７４を上下動可能に設け、この弁体７４に開閉操作用の弁棒７５を取付けたものである。給排水弁６２及び排水弁６４の弁棒７５には、前記操作ロッド６５Ｈと同様の操作ロッド６２Ｈ，６４Ｈがそれぞれ設けられている。
【００２０】
上記各操作ロッド６２Ｈ，６４Ｈ，６５Ｈには、弁の開閉状態等を表示するための目盛りを設けておくことができる。また、給排水枡６０の上部には蓋体を装着しておくこともできる。
【００２１】
前記耕作区給排水口６１に設けられた越流ゲート６６は、耕作区４２側が開口した出口枡８０の耕作区側開口に設けられた上下２枚の堰板８１，８２により形成されている。この堰板８１，８２は、両側に設けられた２条の凹溝８３内に上下位置調節可能かつ着脱可能に挿入されており、堰板８１，８２の上下位置を調節したり、取り外したりすることにより、給排水枡６０内への土砂の流入を防止し、あるいは、耕作区４２内の排水を速やかに行うようにするものである。
【００２２】
以上のような構成からなる水位調節装置６は、各耕作区４２に面した農道４３の傾斜面に垂直状態で埋設され、田面水位は、各耕作区４２毎に設定される。一区画の水田４は、各耕作区４２が同じ高さになるように平坦に整地されているが、地形の具合によっては、各耕作区４２に若干の高低差が生じることがある。そこで、各耕作区４２に設置した水位調節装置６における水位調節堰６５の高さ位置を、筒体６５Ｔに設けた操作ロッド６５Ｈを上下に移動させることにより、各耕作区４２毎に設定する。
【００２３】
通常、各耕作区４２に設置されている水位調節装置６において、給水パイプ５１側に設置した水位調節装置６の水位調節堰６５は、筒体６５Ｔの上縁を田面水位Ｌよりも若干高い位置に設定し、排水パイプ５２側に設置した水位調節装置６は、筒体６５Ｔの上縁を田面水位Ｌに対応した高さに設定する。また、給水パイプ５１側の水位調節装置６の給排水弁６２は適当に開いた状態、排水パイプ５２側に設置した水位調節装置６の給排水弁６２は全開状態とし、排水弁６４は、両者共に全閉とする。さらに、越流ゲート６６の高さは、田面水位Ｌよりも低く、地表面よりも高い位置に設定する。
【００２４】
上述の設定状態において、まず、前記給水パイプ５１側に設置した水位調節装置６において、給水パイプ５１からの用水は、所定量開いている給排水弁６２を経て用水給排水部６３からパイプ６３Ｐを介してパイプ６５Ｐ内を上昇し、水位調節堰６５の筒体６５Ｔの上縁を越えて給排水枡６０内に流入した後、耕作区給排水口６１から越流ゲート６６を越えて耕作区４２へ給水される。このとき、筒体６５Ｔの上縁が田面水位Ｌよりも若干高い位置に設定されているので、給水パイプ５１への用水の供給を止めても用水が給水パイプ５１側に逆流することはない。また、越流ゲート６６が地表面よりも高い位置に設定されているので、耕作区４２内の土砂が給排水枡６０内に流入することもない。
【００２５】
一方、排水パイプ５２側に設置した水位調節装置６では、水位調節堰６５の筒体６５Ｔの上縁が田面水位Ｌに対応した高さに調節されているので、耕作区４２に供給された余剰の用水や雨水は、越流ゲート６６を越えて耕作区給排水口６１から給排水枡６０内に流入した後、筒体６５Ｔの上縁を越えてパイプ６５Ｐ内をを流下し、用水給排水部６３から排水パイプ５２に排出される。
【００２６】
したがって、各耕作区４２内の田面水位は、排水パイプ５２側に設置した水位調節装置６の水位調節堰６５の筒体６５Ｔを所定高さに調節することにより、自動的に調節することができる。そして、給水パイプ５１側に設置した水位調節装置６の給排水弁６２の開度を適当に調節することにより、耕作区４２への流入用水量を調節でき、必要最小限の用水量で田面水位を一定に維持することが可能となる。
【００２７】
このような用水管理を行うと、各耕作区４２への用水の供給量を少なくできるため、上流側の耕作区４２から下流側の耕作区４２にわたって満遍なく用水を供給できるようになり、下流側の耕作区４２で水不足が発生することもなくなる。また、耕作区４２への用水の流入量を少なくできるため、耕作区４２に施用された農薬や肥料等が外部に流出することも少なくなり、環境破壊の問題を招来するおそれもない。
【００２８】
また、耕作区４２から用水を排出する場合には、給水パイプ５１側に設置した水位調節装置６の給排水弁６２を閉じ状態とし、排水パイプ５２側に設置した水位調節装置６の水位調節堰６５の筒体６５Ｔを押し下げるか、排水弁６４を開く。これにより、耕作区４２に貯留されている用水を、排水パイプ５２側に設置した水位調節装置６から排水パイプ５２に排出することができる。
【００２９】
さらに、耕作区４２等から耕作区給排水口６１を通って給排水枡６０内に侵入した土砂等は、給排水枡６０の底部の排水弁６４を開くことにより、排水弁６４から用水と共に排水パイプ５２に排出することができる。
【００３０】
一方、一度に大量の用水を必要とする水田の代掻き時には、排水パイプ５２側に設置した水位調節装置６の水位調節堰６５の筒体６５Ｔを引上げるか、給排水弁６２を閉じる。これにより、給水パイプ５１から送水された用水は、給水パイプ５１側に設置した水位調節装置６から耕作区４２内に流入し、排水パイプ５２側に設置した水位調節装置６から排出されることなく、その全量が耕作区４２内に貯留される状態になり、速やかに所定の水位に達する。
【００３１】
さらに、減反等でいくつかの耕作区４２への給水が不要な場合は、その耕作区４２に対応した給水パイプ５１側の水位調節装置６の給排水弁６２を閉じ、排水パイプ５２側の水位調節装置６の給排水弁６２を全開状態にするとともに、越流ゲート６６の堰板８１，８２を取り外す。これにより、耕作区４２内の雨水等は、耕作区４２から排水パイプ５２側の水位調節装置６を通って排水パイプ５２に排出される。
【００３２】
このように構成した水位調節装置６によれば、給水パイプ５１を流れる用水を少量にすることができるため、小径のパイプを用いることができる。また、各パイプ５１，５２に大きな勾配を付けなくてもある程度の流速が確保されるため、各耕作区４２に水位調節装置６を設置する作業も容易に行うことができる。しかも、この水位調節装置６は、合成樹脂製の筒材等を適宜に組合わせて製作することができ、給排水枡６０内に一体に組込まれているので、用水給排水部６３と耕作区給排水口６１とを直接あるいは適当な継手を介して給水パイプ５１や排水パイプ５２及び越流ゲート６６に接続するだけでよいことから、工事費等を大幅に削減することができる。しかも、従来の平坦地灌漑では、用水を圧送するためのポンプが必要であったが、この水位調節装置６では全く不要とすることができ、用水を超低圧で送水することができる。
【００３３】
さらに、前記越流ゲート６６を上下二段のスライド式の堰板８１，８２とすることによって、代掻き時に土砂等が給排水枡６０内に侵入することを防止でき、また、中干し時や転作時の水抜きが効果的に行える。すなわち、上方の堰板８１を引き上げておけば、代掻き時に土砂等が給排水枡６０内に侵入することを未然に防止できる。また、水田を中干しするときには、上方の堰板８１を押し下げ、付近の地面を図３に符号Ｐ１で示すように掘り下げておくことによって水抜きができる。さらに、減反や転作時には、上下の堰板８１，８２を引き上げるか、取り外すとともに、付近の地面を図３に符号Ｐ２で示すように３０ｃｍ程度掘り下げておくことによって、水田の用水をスムーズに落とすことができるという利点がある。
【００３４】
また、代掻き時や減反，転作時には、前記給水パイプ５１及び排水パイプ５２の両端に設けた弁５１ａ，５１ｂ，５２ａ，５２ｂを開閉することにより、これらの作業を効率よく行うことができる。通常時には、給水パイプ５１の用水ライン３７側の弁５１ａは開、排水ライン３８側の弁５１ｂは閉であり、排水パイプ５２の用水ライン３７側の弁５２ａは閉、排水ライン３８側の弁５２ｂは開に設定されている。したがって、用水ライン３７を流れる用水は、弁５１ａから給水パイプ５１に流入し、この給水パイプ５１に設置された水位調節装置６を通って各耕作区４２に供給され、各耕作区４２内の余剰の用水等は、排水パイプ５２に設置された水位調節装置６を通って排水パイプ５２に流入し、弁５２ｂから排水ライン３８に排出されるようになっている。
【００３５】
そして、代掻き時には、給水パイプ５１の弁５１ａ，５１ｂはそのままにして、排水パイプ５２の用水ライン３７側の弁５２ａを開くとともに、排水ライン３８側の弁５２ｂを閉じることにより、この排水パイプ５２を用水供給用に利用することができる。すなわち、用水ライン３７を流れる用水は、弁５１ａを通って給水パイプ５１に流れるとともに、弁５２ａを通って排水パイプ５２に流れ、両パイプ５１，５２の排水ライン３８側の弁５１ｂ，５２ｂが閉じられているため、用水の全量が両パイプ５１，５２にそれぞれ設置された各水位調節装置６を介して各耕作区４２に供給される状態になる。これにより、短時間で耕作区４２内を所定水位にすることができる。
【００３６】
一方、減反や転作時には、排水パイプ５２の弁５２ａ，５２ｂはそのままにして、給水パイプ５１の用水ライン３７側の弁５１ａを閉じるとともに、排水ライン３８側の弁５１ｂを開くことにより、この給水パイプ５１を排水用として利用することができる。すなわち、用水ライン３７を流れる用水は、弁５１ａ，５２ａが閉じられているために両パイプ５１，５２内に流入せず、耕作区４２内の用水や雨水は、両パイプ５１，５２にそれぞれ設置された各水位調節装置６の排水弁６４を通って給水パイプ５１及び排水パイプ５２に流出し、両パイプ５１，５２から排水ライン３８に排出される。これにより、短時間で耕作区４２内を排水することができるとともに、集中豪雨や長雨等の際の大量の雨水の排出も円滑に行うことができる。
【００３７】
図６乃至図８は、水位調節装置の参考例を示すもので、図６は配管概略図、図７は縦断面図、図８は平面図である。本形態例に示す水位調節装置６Ａは、前記形態例に示した水位調節装置６における用水給排水部６３の給排水弁６２を省略したものであって、前記同様に、給排水枡６０には、耕作区４２に連通する耕作区給排水口６１と、排水パイプ５２（あるいは給水パイプ５１）に接続する用水給排水部６３とが設けられ、用水給排水部６３には、排水弁６４と水位調節堰６５とが設けられている。なお、他の構成要素については、前記形態例の水位調節装置６における構成要素と同一の構成要素に同一符号を付して詳細な説明は省略する。また、水位調節や排水における操作も同一であるから、水位調節装置６Ａの作用の説明も省略する。
【００３８】
前述のように、排水パイプ５２側に設置した水位調節装置６の給排水弁６２は、通常の使用状態では、常に全開状態に設定されているので、排水パイプ５２側には、給排水弁を省略した上記水位調節装置６Ａを設置することにより、水位調節装置の製造コストを低減でき、システム全体のコストダウンを図ることができる。また、用水給排水部６３の外部配管に適宜な弁を装着することにより、この水位調節装置６Ａを給水パイプ５１側に設置することもできる。
【００３９】
なお、上述の形態例及び参考例では、水位調節装置を構成する給排水枡を円筒形としたものを例示したが、矩形状にしてもよく、給排水枡の形状は特に限定されるものではない。また、水位調節堰の構造も上記筒体に限らず、蛇腹状に形成したり、堰板式にしたりすることもできる。さらに、各操作ロッドを、例えばねじ込み構造等により着脱可能に形成しておくことにより、必要時以外に水位調節堰等が操作されることを防止できる。
【００４０】
また、図１においては、水田の長手方向に沿って延びる各耕作区の相対する両側に水位調節装置を設置して供給用と排水用とに使用したが、耕作区の片側に供給用と排水用の水位調節装置を設置することも可能であり、耕作区の面積や水位調節装置の能力によっては３個以上設置することもできる。
【００４１】
さらに、各バルブの開閉や越流堰の上下位置調節を、操作ロッドに代えてモーター等により遠隔操作可能に形成することもでき、コンピューター等を使用して自動的に制御することも可能である。
【００４２】
【発明の効果】
以上説明したように、本発明の水田の水位調節装置及び用水管理システムによれば、水田の側縁に沿って設けられた農道に給水パイプ及び排水パイプを埋設するので、水田の耕作区や農道等のスペースを大幅に拡大でき、農地を有効に利用することができる。
【００４３】
また、水位調節装置により、耕作区への用水の供給や田面水位の維持、耕作区からの用水の排出等を簡単な操作で確実に行うことができ、各耕作区毎の田面水位の維持等の用水管理を効率よく行うことができる。さらに、一部の耕作区の減反等にも対応することができる。しかも、これらの機能を一つの給排水枡に集約させているので、水位調節装置をコンパクトに形成することができ、施工性に優れるとともに、安価に供給することができる。
【００４４】
さらに、本発明では、各耕作区に供給された用水が余剰水として排出されるのを最小限に抑える用水管理を行えるので、各耕作区に施用された農薬や肥料等が用水と共に外部に流出する量を低減でき、環境破壊の問題を招来することもない。
【００４５】
加えて、本発明では、従来の平坦地灌漑で行われていたようなポンプによる用水の輸送手段も不要にでき、パイプの勾配を大きくとらなくても流速が確保できるため、パイプの敷設工事を簡単かつ容易に行え、工事費を大幅に削減することができる。
【図面の簡単な説明】
【図１】  本発明の水位調節装置を使用した用水管理システムの一例を示す概略平面図である。
【図２】  水位調節装置の一形態例を示す配管概略図である。
【図３】  水位調節装置の具体的な形状例を示す縦断面図である。
【図４】  同じく平面図である。
【図５】  水位調節装置に用いたスライド弁の斜視図である。
【図６】  水位調節装置の参考形態例を示す配管概略図である。
【図７】  水位調節装置の参考形状例を示す縦断面図である。
【図８】  同じく平面図である。
【図９】  従来の水田構造を示す概略平面図図である。
【図１０】  従来の給水路の斜視図である。
【符号の説明】
３７…用水ライン、３８…排水ライン、４…水田、４１…畦畔、４２…耕作区、４３…農道、５１…給水パイプ、５２…排水パイプ、５１ａ，５１ｂ，５２ａ，５２ｂ…弁、６，６Ａ…水位調節装置、６０…給排水枡、６１…耕作区給排水口、６２…給排水弁、６２Ｈ…操作ロッド、６３…用水給排水部、６４…排水弁、６４Ｈ…操作ロッド、６５…水位調節堰、６５Ｈ…操作ロッド、６５Ｔ…筒体、６６…越流ゲート、７０…スライド弁、８０…出口枡、８１，８２…堰板
【図１】
0003839892.tif 000002
【図２】
0003839892.tif 000003
【図３】
0003839892.tif 000004
【図４】
0003839892.tif 000005
【図５】
0003839892.tif 000006
【図６】
0003839892.tif 000007
【図７】
0003839892.tif 000008
【図８】
0003839892.tif 000009
【図９】
0003839892.tif 000010
【図１０】
0003839892.tif 000011